(57)【要約】  送風機の前方に配置した熱交換器をキャビネットにて適切に支持する。室内機では、熱交換器（１４）は、送風ファンの回転中心よりも前方位置のみに存在し、キャビネット（６１）は、上部から前方へ突出する左上突出部（４４）と右上突出部（４６）、および下部から前方へ突出する左下突出部（４５）と右下突出部（４７）にて熱交換器（１４）を支持する。
2019043984.tif 000002
【特許請求の範囲】
【請求項１】
熱交換器、吸込み口、吹出し口、送風ファンおよびキャビネットを備え、
前記熱交換器は、前記送風ファンの回転中心よりも前方位置のみに存在し、
前記吸込み口は、前記熱交換器の後面側位置に設けられ、
前記吹出し口は、前記熱交換器の前面側位置に設けられ、
前記送風ファンは、前記吸込み口から吸い込んだ空気を前記熱交換器に吹き付け、前記吹出し口から吹き出し、
前記キャビネットは、上部から前方へ突出する上突出部、および下部から前方へ突出する下突出部を有し、前記上突出部および前記下突出部にて前記熱交換器を支持していることを特徴とする空気調和機の室内機。
【請求項２】
前記送風ファンは、前記キャビネットの前記上突出部と前記下突出部との間に配置され、
前記下突出部は、左側の左下突出部と右側の右下突出部とを有していることを特徴とする請求項１に記載の空気調和機の室内機。
【請求項３】
前記送風ファンは、前記キャビネットの左右方向へ複数個配置され、前記複数個の送風ファン同士の間は、前記送風ファンを回転させるモータを配置するモータ配置部となっていることを特徴とする請求項２に記載の空気調和機の室内機。
【請求項４】
前記下突出部は、前記左下突出部と前記右下突出部との間に、取り外し可能に設けられた中下突出部を有していることを特徴とする請求項２または３に記載の空気調和機の室内機。
【請求項５】
前記下突出部はドレンパンと連結され、前記熱交換器は前記ドレンパンの上に配置されていることを特徴とする請求項１から４のいずれか１項に記載の空気調和機の室内機。
【請求項６】
前記熱交換器は、熱交換器取付部材に取り付けられ、前記熱交換器取付部材を介して、前記キャビネットにより支持されていることを特徴とする請求項１から５のいずれか１項に記載の空気調和機の室内機。
【請求項７】
前記吸込み口として、前記熱交換器の後面側位置の上部に設けられた第１吸込み口と、前記熱交換器の後面側位置の下部に設けられた第２吸込み口とを有し、
前記第１吸込み口には第１フィルタ、および前記第１吸込み口を開閉する開閉蓋が設けられ、前記第２吸込み口には、通風抵抗が前記第１フィルタよりも大きい第２フィルタが設けられていることを特徴とする請求項１から６のいずれか１項に記載の空気調和機の室内機。
【発明の詳細な説明】
【技術分野】
【０００１】
本発明は、熱交換器を備えた空気調和機の室内機に関する。
【背景技術】
【０００２】
従来の空気調和機の室内機は、例えば特許文献１に開示されているように、内部に送風機を備え、送風機の上部および前部を囲むように熱交換器が設けられている。このような室内機では、送風機が回転することにより、室内機の上部の吸込み口から空気を吸い込み、その空気は、熱交換器を通過した後、室内機の前部の下部の吹出し口から吹き出される。【０００３】
また、上記の室内機では、重量物である熱交換器の後部は、キャビネットの後部に形成された収容部に挿入され、熱交換器の左右の側部は、キャビネットの左右に形成された突起形状部に固定されている。上記の室内機では、このような構造によりキャビネットにて熱交換器を支持している。
【先行技術文献】
【特許文献】
【０００４】
【特許文献１】日本国公開特許公報「特開２００６−２１４６７０号公報」
【発明の概要】
【発明が解決しようとする課題】
【０００５】
近年の空気調和機には、空気調和機能に加えて空気清浄機能を備えたものが開発されている。例えばＨＥＰＡフィルタ(High Efficiency Particulate Air Filter)は通風抵抗が大きく、空気清浄にＨＥＰＡフィルタを使用した場合には吹出し口から吹き出す風量が大幅に低下する。そこで、空気清浄にＨＥＰＡフィルタを使用する場合には、十分な風量（十分な空気の吸込み量）を確保する必要がある。【０００６】
このため、室内機では、例えば空調用の吸込み口および空気清浄用の吸込み口を室内機の上部および下部に形成し、熱交換器を送風機の前方位置に配置することが考えられる。【０００７】
しかしながら、このように熱交換器を送風機の前方に配置した場合には、上記従来の熱交換器の支持構造を利用することができない。【０００８】
したがって、本発明の一態様は、熱交換器を送風機の前方に配置した場合に、キャビネットにて熱交換器を適切に支持することができる空気調和機の室内機の提供を目的としている。
【課題を解決するための手段】
【０００９】
上記の課題を解決するために、本発明の一態様に係る空気調和機の室内機は、熱交換器、吸込み口、吹出し口、送風ファンおよびキャビネットを備え、前記熱交換器は、前記送風ファンの回転中心よりも前方位置のみに存在し、前記吸込み口は、前記熱交換器の後面側位置に設けられ、前記吹出し口は、前記熱交換器の前面側位置に設けられ、前記送風ファンは、前記吸込み口から吸い込んだ空気を前記熱交換器に吹き付け、前記吹出し口から吹き出し、前記キャビネットは、上部から前方へ突出する上突出部、および下部から前方へ突出する下突出部を有し、前記上突出部および前記下突出部にて前記熱交換器を支持している。
【発明の効果】
【００１０】
本発明の一態様によれば、熱交換器が送風ファンの回転中心よりも前方位置のみに存在する構成であっても、すなわち熱交換器を送風機の前方に配置した場合であっても、キャビネットにより熱交換器を適切に支持することができるという効果を奏する。
【図面の簡単な説明】
【００１１】
【図１】本発明の実施形態の空気調和機の室内機の外観を示す斜視図である。
【図２】図１に示した室内機の縦断面図である。
【図３】図３の（ａ）は、本実施形態の空気調和機が停止状態である場合の開閉蓋および導風板の状態を説明する室内機の概略の側面図、図３の（ｂ）は、上記空気調和機が空調モードかつ冷房設定の場合の開閉蓋および導風板の状態を説明する室内機の概略の側面図、図３の（ｃ）は、上記空気調和機が空気清浄モードかつ冷房設定の場合の開閉蓋および導風板の状態を説明する室内機の概略の側面図である。
【図４】図１に示した室内機本体部の主要部材の分解斜視図である。
【図５】図４に示した主要部材を組み付けた状態の斜視図である。
【図６】図５に示した状態から、ファンケーシング、送風ファン、仕切板および熱交換器を取り外した状態の斜視図である。
【図７】図７の（ａ）は、図４に示したキャビネットによる熱交換器の支持構造を示す概略の側面図、図７の（ｂ）は、上記キャビネットによる熱交換器の支持構造を示す概略の底面図である。
【図８】図８の（ａ）は、本発明の他の本実施形態の室内機のキャビネットによる熱交換器の支持構造を示す概略の側面図、図８の（ｂ）は、上記キャビネットによる熱交換器の支持構造を示す概略の底面図である。
【図９】図９の（ａ）は、本発明のさらに他の本実施形態の室内機のキャビネットによる熱交換器の支持構造を示す概略の側面図、図９の（ｂ）は、上記キャビネットによる熱交換器の支持構造を示す概略の底面図である。
【図１０】図１０の(ａ)は、図９に示したキャビネットの具体的な構造を示す平面図、図１０の(ｂ)は同正面図、図１０の(ｃ)は同底面図、図１０の(ｄ)は同背面図である。
【図１１】図１１の（ａ）は、本発明のさらに他の本実施形態の室内機のキャビネットによる熱交換器の支持構造を示す概略の側面図、図１１の（ｂ）は、上記キャビネットによる熱交換器の支持構造を示す概略の底面図である。
【発明を実施するための形態】
【００１２】
〔実施形態１〕
本発明の実施の形態を図面に基づいて以下に説明する。図１は、本実施形態の空気調和機の室内機１の外観を示す斜視図である。図２は、図１に示した空気調和機の室内機１の縦断面図である。
【００１３】
（室内機１の概要）
図１に示すように、空気調和機の室内機１は、室内機本体部２の前面に導風板３を備えている。室内機本体部２は、図２に示すように、上部に第１吸込み口１１を有し、下部に第２吸込み口１２を有し、内部に送風ファン１３および熱交換器１４を有し、前部に吹出し口１７を有している。
【００１４】
また、室内機１は、第１吸込み口１１の内側（下側）に第１フィルタ１５を有し、第２吸込み口１２の内側（上側）に第２フィルタ１６を有している。第１フィルタ１５は、例えばプレフィルタに相当する機能を有するフィルタであり、第２フィルタ１６よりも低性能であり、第２フィルタ１６よりも通風抵抗が小さいフィルタである。第２フィルタ１６は、例えばＨＥＰＡフィルタ(High Efficiency Particulate Air Filter)であり、第１フィルタ１５よりも高性能であり、第１フィルタ１５よりも通風抵抗が大きいフィルタである。
【００１５】
室内機１では、第１吸込み口１１から吸い込まれた空気は、第１フィルタ１５、送風ファン１３および熱交換器１４を経て吹出し口１７から吹き出される。また、第２吸込み口１２から吸い込まれた空気は、第２フィルタ１６、送風ファン１３および熱交換器１４を経て吹出し口１７から吹き出される。
【００１６】
第１吸込み口１１には、第１吸込み口１１を開閉する開閉蓋１８が設けられている。図３の（ａ）は、空気調和機が停止状態である場合の開閉蓋１８および導風板３の状態を説明する室内機１の概略の側面図、図３の（ｂ）は、空気調和機が空調モードかつ冷房設定の場合の開閉蓋１８および導風板３の状態を説明する室内機１の概略の側面図、図３の（ｃ）は、空気調和機が空気清浄モードかつ冷房設定の場合の開閉蓋１８および導風板３の状態を説明する概略の側面図である。
【００１７】
開閉蓋１８は、図３の（ａ）に示すように、空気調和機の運転停止時には閉状態である。また、開閉蓋１８は、図３の（ｂ）に示すように、空気調和機を空気清浄機能よりも空気調和機能を優先して運転する場合（空調モードの場合）に開状態となる。さらに、開閉蓋１８は、図３の（ｃ）に示すように、空気調和機を空気調和機能よりも空気清浄機能を優先して運転する場合（空気清浄モードの場合）に閉状態となる。
【００１８】
送風ファン１３は、例えばシロッコファンあるいはターボファンからなる。
【００１９】
熱交換器１４は、２個の熱交換器を上下に連結し、連結部が前方へ突出した形態（くの字形）であり、送風ファン１３の前方位置（送風ファン１３よりも室内機１の前面側位置）に配置されている。詳細には、熱交換器１４は、送風ファン１３の回転軸１３ａ（図４参照）よりも室内機１の前方側のみに位置している。
【００２０】
（室内機本体部２の構造）
図４は、図１に示した室内機本体部２の主要部材の分解斜視図である。図５は、図４に示した主要部材を組み付けた状態の斜視図である。図６は、図５に示した状態から、ファンケーシング３２、送風ファン１３、仕切板（熱交換器取付部材）３３および熱交換器１４を取り外した状態の斜視図である。
【００２１】
図４に示すように、室内機本体部２は、キャビネット３１、ファンケーシング３２、送風ファン１３、仕切板３３、熱交換器１４およびドレンパン３４を備えている。
【００２２】
キャビネット３１は、室内機１の後部に設けられ、ファンケーシング３２、送風ファン１３、仕切板３３、熱交換器１４およびドレンパン３４を支持する。
【００２３】
キャビネット３１は、図４から図６に示すように、室内機１の正面から見て、左端に左縦柱部４１を有し、左縦柱部４１の上部から前方へ延びる左上突出部（上突出部）４４、および左縦柱部４１の下部から前方へ延びる左下突出部（下突出部）４５を有する。
【００２４】
また、キャビネット３１は、室内機１の正面から見て、右端に右縦柱部４２を有し、右縦柱部４２の上部から前方へ延びる右上突出部（上突出部）４６、および右縦柱部４２の下部から前方へ延びる右下突出部（下突出部）４７を有する。
【００２５】
また、キャビネット３１は、左縦柱部４１と右縦柱部４２との間に、中縦柱部４３を有し、中縦柱部４３の上部から前方へ延びる中上突出部（上突出部）４８、および中縦柱部４３の下部から前方へ延びる中下突出部（下突出部）４９を有する。中下突出部４９は、ねじによって中縦柱部４３に取り付けられており、キャビネット３１の下面側からの作業により、キャビネット３１から取り外し可能となっている。
【００２６】
キャビネット３１の左上突出部４４、右上突出部４６および中上突出部４８と、左下突出部４５、右下突出部４７および中下突出部４９との間の空間には、ファンケーシング３２が設けられ、ファンケーシング３２の内部には送風ファン１３が配置されている。ファンケーシング３２は、中上突出部４８および中下突出部４９の左側に１個、右側に１個、合計２個設けられ、各ファンケーシング３２にそれぞれ送風ファン１３が配置されている。２個の送風ファン１３の中心には回転軸１３ａが設けられている。
【００２７】
２個のファンケーシング３２の間の空間はモータ配置部３６となっている。モータ配置部３６には、送風ファン１３（送風ファン１３の回転軸１３ａ）を回転させるファンモータ（図示せず）が配置される。この場合のファンモータは左右に回転軸を有する両軸モータである。
【００２８】
ドレンパン３４は、キャビネット３１の左下突出部４５、右下突出部４７および中下突出部４９の前端部とねじにて連結され、これら左下突出部４５、右下突出部４７および中下突出部４９にて支持されている。ドレンパン３４にはドレンパイプ３５が接続されており、熱交換器１４にて生じた水は、ドレンパン３４にて受け止められ、ドレンパイプ３５を通じて排出される。
【００２９】
仕切板３３は、キャビネット３１の前方位置かつドレンパン３４の上に配置され、キャビネット３１の左上突出部４４、右上突出部４６および中上突出部４８、並びに左下突出部４５、右下突出部４７および中下突出部４９の前端部と連結されている。したがって、仕切板３３は、キャビネット３１の上記６本の突出部４４〜４９にて支持されている。
【００３０】
熱交換器１４は、仕切板３３の前に設けられ、仕切板３３に固定されている。熱交換器１４は、室内機１が備える各部材のうち、最も重量が大きい重量物である。室内機１では、重量物である熱交換器１４がキャビネット３１の前方位置に存在することにより、重心が前方寄りに位置している。
【００３１】
（キャビネット３１による熱交換器１４の支持構造）
ここで、本実施形態の室内機１のキャビネット３１による熱交換器１４の支持構造を簡略化して示す。図７の（ａ）は、キャビネット３１による熱交換器１４の支持構造を示す概略の側面図、図７の（ｂ）は、キャビネット３１による熱交換器１４の支持構造を示す概略の底面図である。なお、図７の（ａ）（ｂ）において、隠れて見えない縦柱部および突出部の符号については、(  )にて示している。この点は以下の他の実施形態においても同様である。
【００３２】
本実施形態の室内機１では、仕切板３３は、キャビネット３１の６本の突出部、すなわち左上突出部４４、左下突出部４５、右上突出部４６、右下突出部４７、中上突出部４８および中下突出部４９にて支持され、熱交換器１４は、仕切板３３（図６参照）に固定されている。したがって、熱交換器１４は、図７の（ａ）（ｂ）に示すように、実質的に、キャビネット３１の６本の突出部４４〜４９にて支持されている。これら突出部４４〜４９は梁部としての機能を有する。
【００３３】
また、仕切板３３は、キャビネット３１の前に熱交換器１４を配置しし易くするために、キャビネット３１と熱交換器１４との間に介在させた部材である。したがって、仕切板３３は、キャビネット３１による熱交換器１４の支持構造上からは、必須の部材ではなく、図７の（ａ）（ｂ）に示すように、省略することも可能である。
【００３４】
なお、本実施形態の室内機１は、空気清浄機能を備えることが必須ではない。したがって、室内機本体部２は、空気清浄用の第２フィルタ１６（例えばＨＥＰＡフィルタ）１６を備えない場合、少なくとも一つの吸込み口（本実施形態では第１吸込み口１１と第２吸込み口１２との少なくとも一方）を有し、その吸込み口に第１フィルタ１５が設けられていればよい。また、上記の少なくとも一つの吸込み口、並びに第１吸込み口１１および第２吸込み口１２は、室内機本体部２の上部または下部に限らず、熱交換器１４よりも室内機本体部２の後方位置に有していればよい。この点は以下の他の実施形態においても同様である。
【００３５】
（室内機の利点）
本実施形態の室内機１では、室内機本体部２の前後方向において、熱交換器１４の後方位置の吸込み口（第１吸込み口１１、第２吸込み口１２）から吸い込んだ空気を送風ファン１３によって熱交換器１４に吹き付け、熱交換器１４の前方位置の吹出し口１７から吹き出すようになっている。
【００３６】
この場合、図７の（ａ）（ｂ）に示した構成では、キャビネット３１の前方位置に配置された熱交換器１４は、キャビネット３１の、向って左側の前方への凸部である左上突出部４４および左下突出部４５と、向って右側の前方への凸部である右上突出部４６および右下突出部４７と、中央の前方への凸部である中上突出部４８および中下突出部４９とにより支持されている。これにより、キャビネット３１は前方位置に配置された熱交換器１４を安定に支持することができる。
【００３７】
また、中下突出部４９は、ねじによって中縦柱部４３に取り付けられており、キャビネット３１の下面側からの作業により、キャビネット３１から取り外し可能となっている。したがって、中下突出部４９を取り外すことにより、キャビネット３１の左上突出部４４および左下突出部４５と右上突出部４６および右下突出部４７との間に配置された送風ファン１３およびファンモータは、左下突出部４５と右下突出部４７との間から容易に下方へ取り出すことができる。これにより、例えば清掃が必要な送風ファン１３を取り外す場合、あるいは例えば修理が必要なファンモータを取り外す場合の作業性が良好である。
【００３８】
また、仕切板３３を備えた構成では、熱交換器１４は仕切板３３に取り付けられる。仕切板３３は、キャビネット３１の左上突出部４４および左下突出部４５と右上突出部４６および右下突出部４７と中上突出部４８および中下突出部４９とにより支持される。これにより、キャビネット３１の前方位置へ熱交換器１４を容易に配置することができる。
【００３９】
また、熱交換器１４はドレンパン３４の上に配置されている。ドレンパン３４は、キャビネット３１の左下突出部４５、右下突出部４７および中下突出部４９と連結され、これら左下突出部４５、右下突出部４７および中下突出部４９にて支持されている。これにより、室内機１では、キャビネット３１にて熱交換器１４を安定に支持できるようになっている。
【００４０】
〔実施形態２〕
本発明の他の実施形態を図面に基づいて以下に説明する。なお、説明の便宜上、前記実施形態にて説明した部材と同じ機能を有する部材については、同じ符号を付記し、その説明を省略する。
【００４１】
（キャビネット６１による熱交換器１４の支持構造）
図８の（ａ）は、本実施形態の室内機１のキャビネット６１による熱交換器１４の支持構造を示す概略の側面図、図８の（ｂ）は、上記キャビネット６１による熱交換器１４の支持構造を示す概略の底面図である。
【００４２】
本実施形態の室内機１は、前記キャビネット３１に代えてキャビネット６１を備えている。本実施形態の室内機１では、図８の（ａ）（ｂ）に示すように、熱交換器１４は、キャビネット６１の４本の突出部、すなわち左上突出部４４、左下突出部４５、右上突出部４６および右下突出部４７にて支持されている。なお、熱交換器１４は、仕切板３３（図６参照）に取り付けられ、仕切板３３を介してキャビネット６１により支持されていてもよい点は、前記実施形態と同様である。この点は、以下の実施形態においても同様である。
【００４３】
なお、本実施形態において、仕切板３３は、キャビネット６１の左上突出部４４および左下突出部４５と右上突出部４６および右下突出部４７とにより支持される。また、ドレンパン３４は、キャビネット６１の左下突出部４５および右下突出部４７と連結され、これら左下突出部４５および右下突出部４７にて支持される。
【００４４】
（室内機の利点）
本実施形態の室内機１では、室内機本体部２の前後方向において、熱交換器１４の後方位置の吸込み口（第１吸込み口１１、第２吸込み口１２）から吸い込んだ空気を送風ファン１３によって熱交換器１４に吹き付け、熱交換器１４の前方位置の吹出し口１７から吹き出すようになっている。
【００４５】
この場合、図８の（ａ）（ｂ）に示した構成では、キャビネット６１の前方位置に配置された熱交換器１４は、キャビネット６１の、向って左側の前方への凸部である左上突出部４４および左下突出部４５と、向って右側の前方への凸部である右上突出部４６および右下突出部４７とにより支持されている。これにより、キャビネット６１は前方位置に配置された熱交換器１４を適切に支持することができる。
【００４６】
また、キャビネット６１の左上突出部４４および左下突出部４５と右上突出部４６および右下突出部４７との間に配置された送風ファン１３およびファンモータは、左下突出部４５と右下突出部４７との間から容易に下方へ取り出すことができる。これにより、例えば清掃が必要な送風ファン１３を取り外す場合、あるいは例えば修理が必要なファンモータを取り外す場合の作業性が良好である。本実施形態の室内機１のその他利点は、キャビネット３１を備えた前述の実施形態の室内機１と同様である。
【００４７】
〔実施形態３〕
本発明のさらに他の実施形態を図面に基づいて以下に説明する。なお、説明の便宜上、前記実施形態にて説明した部材と同じ機能を有する部材については、同じ符号を付記し、その説明を省略する。
【００４８】
（キャビネット６２による熱交換器１４の支持構造）
図９の（ａ）は、本実施形態の室内機１のキャビネット６２による熱交換器１４の支持構造を示す概略の側面図、図９の（ｂ）は、上記キャビネット６２による熱交換器１４の支持構造を示す概略の底面図である。
【００４９】
本実施形態の室内機１は、図９の（ｂ）に示すように、前記キャビネット３１に代えてキャビネット６２を備えている。キャビネット６２は、キャビネット３１を左右に２個並べ、向って左側のキャビネット３１の右縦柱部４２、右上突出部４６および右下突出部４７と、向って右側の左縦柱部４１、左上突出部４４および左下突出部４５とを共通にした構成である。
【００５０】
詳細には、キャビネット６２は、第１縦柱部７１（向って左側のキャビネット３１の左縦柱部４１に相当）、第２縦柱部７２（向って右側のキャビネット３１の右縦柱部４２に相当）、第３縦柱部７３（向って左側のキャビネット３１の右縦柱部４２および向って右側のキャビネット３１の左下突出部４５に相当）、第４縦柱部７４（向って左側のキャビネット３１の中縦柱部４３に相当）、および第５縦柱部７５（向って右側のキャビネット３１の中縦柱部４３に相当）を有する。
【００５１】
また、キャビネット６２は、第１上突出部８１（向って左側のキャビネット３１の左上突出部４４に相当）、第１下突出部８２（向って左側のキャビネット３１の左下突出部４５に相当）、第２上突出部８３（向って左側のキャビネット３１の右上突出部４６および向って右側のキャビネット３１の左上突出部４４に相当）、第２下突出部８４（向って左側のキャビネット３１の右下突出部４７および向って右側のキャビネット３１の左下突出部４５に相当）、第３上突出部８５（向って右側のキャビネット３１の右上突出部４６に相当）、第３下突出部８６（向って右側のキャビネット３１の右下突出部４７に相当）、第４上突出部８７（向って左側のキャビネット３１の中上突出部４８に相当）、第４下突出部８８（向って左側のキャビネット３１の中下突出部４９に相当）、第５上突出部８９（向って右側のキャビネット３１の中上突出部４８に相当）、および第５下突出部９０（向って右側のキャビネット３１の中下突出部４９に相当）を有する。
【００５２】
第４下突出部８８および第５下突出部９０は、キャビネット３１の中下突出部４９と同様、ねじによって、それぞれ７４および７５に取り付けられており、キャビネット６２の下面側からの作業により、キャビネット６２から取り外し可能となっている。
【００５３】
本実施形態の室内機１では、図９の（ａ）（ｂ）に示すように、熱交換器１４は、キャビネット６２の１０本の突出部、すなわち第１上突出部８１、第１下突出部８２、第２上突出部８３、第２下突出部８４、第３上突出部８５、第３下突出部８６、第４上突出部８７、第４下突出部８８、第５上突出部８９、および第５下突出部９０にて支持されている。
【００５４】
なお、本実施形態において、仕切板３３は、キャビネット６２の上記１０本の突出部８１〜９０にて支持される。また、ドレンパン３４は、キャビネット６２の第１下突出部８２、第２下突出部８４、第３下突出部８６、第４下突出部８８および第５下突出部９０にて支持される。
【００５５】
また、熱交換器１４は、本実施形態では、図９の（ｂ）に示すように、キャビネット６２の長さに相当する長さを有する構成（左右に分割されていない構成）としている。しかしながら、熱交換器１４は、第２上突出部８３および第２下突出部８４を中心として、左右に２分割されている構成であってもよい。この点は、以下の実施形態においても同様である。
【００５６】
図１０には、キャビネット６２の具体的な構造を示す。図１０の(ａ)は、図９に示したキャビネット６２の具体的な構造を示す平面図、図１０の(ｂ)は同正面図、図１０の(ｃ)は同底面図、図１０の(ｄ)は同背面図である。なお、図１０に示すキャビネット６２は、左右方向の中央部（第３縦柱部７３、第２上突出部８３および第２下突出部８４の位置）にモータ配置部３６を有している。したがって、図９に示した第３縦柱部７３、第２上突出部８３および第２下突出部８４は、左右に分けて、それぞれ第３縦柱部７３ａ，７３ｂ、第２上突出部８３ａ，８３ｂおよび第２下突出部８４ａ，８４ｂとして示している。
【００５７】
上記モータ配置部３６に配置するファンモータは左右に回転軸を有する両軸モータであり、１個のファンモータにて４個の送風ファン１３を回転させる。なお、上記モータ配置部３６には、一方のみに回転軸を有する片軸のファンモータを２個配置し、１個のファンモータが左側の２個の送風ファン１３を回転させ、他の１個のファンモータが右側の２個の送風ファン１３を回転させるようにしてもよい。あるいは、モータ配置部３６を図１０に示した位置ではなく、第４上突出部８７と第４下突出部８８との間、および第５上突出部８９と第５下突出部９０との間とし、それらの位置にそれぞれ両軸のファンモータを配置し、各ファンモータが２個の送風ファン１３を回転させるようにしてもよい。
【００５８】
（室内機の利点）
本実施形態の室内機１が備えるキャビネット６２は、図７および図８に示したキャビネット３１，６１と比較して、横方向に２倍の長さを有している。したがって、キャビネット６２には、４個のファンケーシング３２および４個の送風ファン１３が設けられる。
【００５９】
これにより、例えば図２に示したように、室内機本体部２に第１吸込み口１１および第１フィルタ１５（相対的に低性能のフィルタ）、並びに第２吸込み口１２および第２フィルタ１６（相対的に高性能のフィルタ）を有する構成の場合に、第２吸込み口１２および第２フィルタ１６を使用する空気清浄モードにおいて、十分な風量を得ることができ、高い空気清浄機能を発揮することができる。本実施形態の室内機１のその他利点は、キャビネット３１を備えた前述の実施形態の室内機１と同様である。
【００６０】
〔実施形態４〕
本発明のさらに他の実施形態を図面に基づいて以下に説明する。なお、説明の便宜上、前記実施形態にて説明した部材と同じ機能を有する部材については、同じ符号を付記し、その説明を省略する。
【００６１】
（キャビネット６３による熱交換器１４の支持構造）
図１１の（ａ）は、本実施形態の室内機１のキャビネット６３による熱交換器１４の支持構造を示す概略の側面図、図１１の（ｂ）は、上記キャビネット６３による熱交換器１４の支持構造を示す概略の底面図である。
【００６２】
本実施形態の室内機１は、図９に示したキャビネット６２に代えてキャビネット６３を備えている。本実施形態の室内機１では、図１１の（ａ）（ｂ）に示すように、熱交換器１４は、キャビネット６３の６本の突出部、すなわち第１上突出部８１、第１下突出部８２、第２上突出部８３、第２下突出部８４、第３上突出部８５および第３下突出部８６にて支持されている。
【００６３】
なお、本実施形態において、仕切板３３は、キャビネット６３の上記６本の突出部８１〜８６にて支持される。また、ドレンパン３４は、キャビネット６３の第１下突出部８２、第２下突出部８４および第３下突出部８６にて支持される。
【００６４】
（室内機の利点）
本実施形態の室内機１が備えるキャビネット６３は、図７および図８に示したキャビネット３１，６１と比較して、横方向に２倍の長さを有している。したがって、キャビネット６２には、４個のファンケーシング３２および４個の送風ファン１３が設けられる。
【００６５】
これにより、例えば図２に示したように、室内機本体部２に第１吸込み口１１および第１フィルタ１５（相対的に低性能のフィルタ）、並びに第２吸込み口１２および第２フィルタ１６（相対的に高性能のフィルタ）を有する構成の場合に、第２吸込み口１２および第２フィルタ１６を使用する空気清浄モードにおいて、十分な風量を得ることができ、高い空気清浄機能を発揮することができる。本実施形態の室内機１のその他利点は、キャビネット６１を備えた前述の室内機１と同様である。
【００６６】
〔まとめ〕
本発明の態様１に係る空気調和機の室内機は、熱交換器１４、吸込み口（第１吸込み口１１、第２吸込み口１２）、吹出し口１７、送風ファン１３およびキャビネット３１を備え、前記熱交換器１４は、前記送風ファン１３の回転中心よりも前方位置のみに存在し、前記吸込み口は、前記熱交換器１４の後面側位置に設けられ、前記吹出し口１７は、前記熱交換器１４の前面側位置に設けられ、前記送風ファン１３は、前記吸込み口から吸い込んだ空気を前記熱交換器１４に吹き付け、前記吹出し口１７から吹き出し、前記キャビネット３１は、上部から前方へ突出する上突出部（左上突出部４４、右上突出部４６）、および下部から前方へ突出する下突出部（左下突出部４５、右下突出部４７）を有し、前記上突出部および前記下突出部にて前記熱交換器１４を支持している。
【００６７】
上記の構成によれば、熱交換器１４は、送風ファン１３の回転中心よりも前方位置のみに存在し、送風ファン１３は、吸込み口から吸い込んだ空気を熱交換器１４に吹き付け、吹出し口１７から吹き出す。キャビネット３１は、上部から前方へ突出する上突出部、および下部から前方へ突出する下突出部を有し、これら上突出部および下突出部にて熱交換器１４を支持している。
【００６８】
したがって、熱交換器１４が送風ファン１３の回転中心よりも前方位置のみに存在する構成であっても、キャビネット３１により熱交換器１４を適切に支持することができる。
【００６９】
本発明の態様２に係る空気調和機の室内機は、上記態様１において、前記送風ファン１３は、前記キャビネット３１の前記上突出部と前記下突出部との間に配置され、前記下突出部は、左側の左下突出部４５と右側の右下突出部４７とを有している構成としてもよい。
【００７０】
上記の構成によれば、送風ファン１３は、キャビネット３１の上突出部と下突出部との間に配置され、下突出部は、左側の左下突出部４５および右側の右下突出部４７とを有している。したがって、例えば送風ファン１３を掃除する場合に、送風ファン１３を左下突出部４５と右下突出部４７との間から下方へ容易に取り出すことができる。
【００７１】
本発明の態様３に係る空気調和機の室内機は、上記態様２において、前記送風ファン１３は、前記キャビネット３１の左右方向へ複数個配置され、前記複数個の送風ファン１３同士の間は、前記送風ファン１３を回転させるモータを配置するモータ配置部３６となっている構成としてもよい。
【００７２】
上記の構成によれば、送風ファン１３は、キャビネット３１の左右方向へ複数個配置され、複数個の送風ファン１３同士の間は、送風ファン１３を回転させるモータを配置するモータ配置部３６となっている。したがって、モータ配置部３６に配置された例えば故障したモータを修理あるいは交換する場合に、送風ファン１３と同様、モータを左下突出部４５と右下突出部４７との間から下方へ容易に取り出すことができる。
【００７３】
本発明の態様４に係る空気調和機の室内機は、上記態様２または３において、前記左下突出部４５と前記右下突出部４７との間に、取り外し可能に設けられた中下突出部４９を有している構成としてもよい。
【００７４】
上記の構成によれば、キャビネット３１の上突出部と下突出部との間に送風ファン１３のみが配置されている場合、中下突出部４９が存在することにより、左下突出部４５と右下突出部４７との間からの送風ファン１３の落下を防止し、かつ熱交換器１４の支持強度を高めることができる。さらに、中下突出部４９を取り外すことにより、送風ファン１３を左下突出部４５と右下突出部４７との間から下方へ容易に取り出すことができる。
【００７５】
また、キャビネット３１の上突出部と下突出部との間に送風ファン１３およびモータが配置されている場合、中下突出部４９が存在することにより、左下突出部４５と右下突出部４７との間からの送風ファン１３およびモータの落下を防止し、かつ熱交換器１４の支持強度を高めることができる。さらに、中下突出部４９を取り外すことにより、送風ファン１３および送風ファン１３を左下突出部４５と右下突出部４７との間から下方へ容易に取り出すことができる。
【００７６】
本発明の態様５に係る空気調和機の室内機は、上記態様１から４の１態様において、前記下突出部はドレンパン３４と連結され、前記熱交換器１４は前記ドレンパン３４の上に配置されている構成としてもよい。
【００７７】
上記の構成によれば、下突出部はドレンパン３４と連結され、熱交換器１４はドレンパン３４の上に配置されている。したがって、ドレンパン３４によっても熱交換器１４の荷重を受けることができるので、熱交換器１４に対する支持機能の高めることができる。
【００７８】
本発明の態様６に係る空気調和機の室内機は、上記態様１から５の１態様において、前記熱交換器１４は、熱交換器取付部材（仕切板３３）に取り付けられ、前記熱交換器取付部材を介して、前記キャビネット３１により支持されている構成としてもよい。
【００７９】
上記の構成によれば、熱交換器取付部材が存在することにより、キャビネット３１の前方位置へ熱交換器１４を容易に配置することができる。
【００８０】
本発明の態様７に係る空気調和機の室内機は、上記態様１から６の１態様において、前記吸込み口として、前記熱交換器１４の後面側位置の上部に設けられた第１吸込み口１１と、前記熱交換器１４の後面側位置の下部に設けられた第２吸込み口１２とを有し、前記第１吸込み口１１には第１フィルタ１５、および第１吸込み口１１を開閉する開閉蓋１８が設けられ、前記第２吸込み口１２には、通風抵抗が前記第１フィルタ１５よりも大きい第２フィルタ１６が設けられている構成としてもよい。
【００８１】
上記の構成によれば、室内機は、前記熱交換器１４の後面側位置に、第１吸込み口１１および第１フィルタ１５、並びに第２吸込み口１２および第２フィルタ１６を有し、熱交換器１４を送風ファン１３の回転中心よりも前方位置のみに存在するように配置し、かつ熱交換器１４をキャビネット３１の突出部にて支持し、第１吸込み口１１および第２吸込み口１２から吸い込んだ空気を送風ファン１３によって熱交換器１４に吹き付け、吹出し口１７から吹き出すようになっている。したがって、室内機は、第１フィルタ１５を使用した空調を優先する運転、および第２フィルタ１６を使用した空気清浄を優先する運転が可能であり、このような機能を有する構成において、室内機は、各部材の良好なレイアウトを達成している。
【００８２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８３】
１    室内機
２    室内機本体部
３    導風板
１１    第１吸込み口
１２    第２吸込み口
１３    送風ファン
１４    熱交換器
１５    第１フィルタ
１６    第２フィルタ
１７    吹出し口
１８    開閉蓋
３１，６１，６２，６３    キャビネット
３２    ファンケーシング
３３    仕切板（熱交換器取付部材）
３４    ドレンパン
３６    モータ配置部
４１    左縦柱部
４２    右縦柱部
４３    中縦柱部
４４    左上突出部（上突出部）
４５    左下突出部（下突出部）
４６    右上突出部（上突出部）
４７    右下突出部（下突出部）
４８    中上突出部（上突出部）
４９    中下突出部（下突出部）
７１〜７５    第１〜第５縦柱部
８１，８３，８５，８７，８９    第１〜第５上突出部（上突出部）
８２，８４，８６，８８，９０    第１〜第５下突出部（下突出部）
【図１】
2019043984.tif 000003
【図２】
2019043984.tif 000004
【図３】
2019043984.tif 000005
【図４】
2019043984.tif 000006
【図５】
2019043984.tif 000007
【図６】
2019043984.tif 000008
【図７】
2019043984.tif 000009
【図８】
2019043984.tif 000010
【図９】
2019043984.tif 000011
【図１０】
2019043984.tif 000012
【図１１】
2019043984.tif 000013
【国際調査報告】
2019043984.tif 000014
2019043984.tif 000015
2019043984.tif 000016
2019043984.tif 000017